(57)【要約】【課題】折り畳みやすく、ズボンのバックポケットに収納しやすいタオルハンカチを提供する。【解決手段】タオル生地で形成され、表面及び裏面にパイル１２が起毛しており、かつパイルが起毛していないパイル無し縦部１３とパイル無し横部１４とが十字形状に形成されたタオルハンカチ１１であって、パイル無し縦部及びパイル無し横部の幅は、パイルの起毛長さの５．５〜７．５倍の範囲の長さである。【選択図】図１
0003232163.tif 000002
【実用新案登録請求の範囲】
【請求項１】
タオル生地で形成され、表面及び裏面にパイルが起毛しており、かつ該パイルが起毛していないパイル無し縦部とパイル無し横部とが十字形状に形成されたタオルハンカチであって、
前記パイル無し縦部及び前記パイル無し横部の幅は、前記パイルの起毛長さの５．５〜７．５倍の範囲の長さであること
を特徴とするタオルハンカチ。
【請求項２】
前記タオルハンカチは、縦方向寸法が１９０〜２１０ｍｍの範囲であり、横方向寸法が２４０〜２６０ｍｍの範囲であり、又は、縦横方向のサイズ比率が８：１０の比率であること
を特徴とする請求項１に記載のタオルハンカチ。
【考案の詳細な説明】
【技術分野】
【０００１】
本考案は、タオル生地で作られたハンカチ、即ち、タオルハンカチに関するものであり、更に詳しくは、折り畳みやすく、ズボンのバックポケットに収納しやすいタオルハンカチに関するものである。
【背景技術】
【０００２】
従来のタオルハンカチとしては、特許文献１に開示されているように、正方形に形成され、表面に横折り畳み部と縦折り畳み部とが設けられており、これらの折り畳み部を、それ以外のパイルが起毛している厚手部分よりも織り密度を低く形成した構成になっている（特許文献１参照）。
【０００３】
このような構成のタオルハンカチは、織り密度が低い折り畳み部に沿って折り曲げることが容易である。
【先行技術文献】
【特許文献】
【０００４】
【特許文献１】特開２０１８−６６０７５号公報
【考案の概要】
【考案が解決しようとする課題】
【０００５】
この従来例のタオルハンカチにおいては、折り畳み部の織り密度を厚手部分よりも低く形成することにより、折り曲げ容易を図っているので、厚手部分のパイルの起毛長さが長身である場合には、必ずしも折り曲げが容易にならない。
つまり、パイルの起毛長さが長身で、折り畳み部の幅が狭い場合には、折り曲げが容易でなく、四つ折りにしたときに丸みをおびた嵩張った状態になるという問題点を有している。
【０００６】
また、従来例のタオルハンカチを四つ折りにした際には、厚手の正方形状に折り畳まれるので、ズボンのバックポケットのようなマチの無いポケットには収納しにくいという問題点を有している。
【０００７】
従って、従来例におけるタオルハンカチにおいては、厚手部分のパイルの起毛長さに応じて折り畳み部を形成し、折り曲げの容易を図ることと、四つ折りの状態でズボンのバックポケットに収納し易くすることとに解決しなければならない課題を有している。
【課題を解決するための手段】
【０００８】
前記従来例の課題を解決するための本考案の要旨は、タオル生地で形成され、表面及び裏面にパイルが起毛しており、かつ該パイルが起毛していないパイル無し縦部とパイル無し横部とが十字形状に形成されたタオルハンカチであって、前記パイル無し縦部及び前記パイル無し横部の幅は、前記パイルの起毛長さの５．５〜７．５倍の範囲の長さであることである。
【０００９】
また、前記タオルハンカチは、縦方向寸法が１９０〜２１０ｍｍの範囲であり、横方向寸法が２４０〜２６０ｍｍの範囲であり、又は、縦横方向のサイズ比率が８：１０の比率であること、；
を含むものである。
【考案の効果】
【００１０】
本考案に係るタオルハンカチによれば、パイル無し縦部及びパイル無し横部の幅を、パイルの起毛長さの５．５〜７．５倍の範囲の長さに形成したことによって、パイル無し縦部及びパイル無し横部の幅がパイルの起毛長さに応じて最適に設けられる。
従って、パイルの起毛長さが長身な場合には、それに応じてパイル無し縦部及びパイル無し横部の幅が、最適な広い幅に形成されるので、折り曲げが容易であり、四つ折りにしたときに丸みをおびた嵩張った状態にならない。
また、パイルの起毛長さが短身な場合には、それに応じてパイル無し縦部及びパイル無し横部の幅が、最適な狭い幅に形成されるので、折り曲げが容易でスマートなデザインになるという種々の優れた効果を奏する。
【００１１】
また、タオルハンカチは、縦方向寸法が１９０〜２１０ｍｍの範囲であり、横方向寸法が２４０〜２６０ｍｍの範囲であり、又は、縦横方向のサイズ比率が８：１０の比率であることによって、タオルハンカチを四つ折りにした際に適度な形の長方形状に形成されるので、ズボンのバックポケットのようなマチの無いポケットにも、長さ方向に沿って収納しやすいという優れた効果を奏する。
【図面の簡単な説明】
【００１２】
【図１】本考案に係るタオルハンカチの表面側の正面図である。
【図２】本考案に係るタオルハンカチの一部を拡大して略示的に示す正面図である。
【図３】（ａ）はタオルハンカチの二つ折り状態の斜視図である。（ｂ）は（ａ）のＸ矢視図である。
【図４】（ａ）はタオルハンカチの四つ折り状態の斜視図である。（ｂ）は（ａ）のＹ矢視図である。
【図５】本考案に係るタオルハンカチをズボンのバックポケットに収納する説明図である。
【図６】タオルハンカチの折り畳み手順及び展開手順を説明する説明図である。
【考案を実施するための形態】
【００１３】
次に、本考案の実施の形態について図面を参照しながら説明する。まず、図１において、符号１１はタオルハンカチを示し、このタオルハンカチ１１は、タオル生地で形成され、タオルハンカチ本体１１ａの表面及び裏面に多数のパイル１２が起毛しており（図２参照）、かつパイル１２が起毛していないパイル無し縦部１３とパイル無し横部１４とが十字形状に形成される。
図１中の符号１６は、タオルハンカチ本体１１ａの４つの辺に設けられるヘムを示す。また、タオルハンカチ１１の裏面は、正面と同様な形状であり、図１に示す表面側の正面図と同様に表れる。
【００１４】
パイル１２は、繊維を丸くループ状に織ったものであり、パイル１２の起毛長さＬ１は、図２に示すように、ループ状の状態において、その基部１２ａから頂部１２ｂまでの長さである。
【００１５】
図３（ａ）はタオルハンカチの二つ折り状態の斜視図であり、図３（ｂ）はタオルハンカチの二つ折り状態の一部を拡大して略示的に示す側面図であり、具体的には、図３（ａ）のＸ矢視図である。
図４（ａ）はタオルハンカチの四つ折り状態の斜視図であり、図４（ｂ）はタオルハンカチの四つ折り状態の一部を拡大して略示的に示す側面図であり、具体的には、図４（ａ）のＹ矢視図である。
【００１６】
図２、図３（ｂ）及び図４（ｂ）に示すパイル無し縦部１３（あるいはパイル無し横部１４）の幅Ｌ２は、パイルの起毛長さＬ１の５．５〜７．５倍の範囲の長さであり、望ましくは６〜６．５倍の範囲の長さである。
【００１７】
パイル無し縦部１３及びパイル無し横部１４の幅Ｌ２を、パイル１２の起毛長さＬ１の６倍前後の長さにする理由を具体的に説明する。
まず、図３（ｂ）に示すように、パイル１２の起毛長さＬ１を１ｍｍと仮定する。
この場合、タオルハンカチを二つ折りにし（図３（ａ）参照）、さらに、四つ折りにしたときには（図４（ａ）参照）、図４（ｂ）に示すように、(１)〜(８)面の合計８面のパイル面が重なることになる。このとき、合計８面のパイル面の厚みは、１ｍｍ×８面＝８ｍｍとなる。
しかし、１番上面の(１)面と１番下面の(８)面とは、パイル無し縦部１３（あるいはパイル無し横部１４）の延長部１３ａの外側に位置するので、(２)〜(７)面の合計６面の厚みは、１ｍｍ×６面＝６ｍｍとなる。
従って、パイル１２の起毛長さＬ１の１ｍｍの６倍の６ｍｍをパイル無し縦部１３及びパイル無し横部１４の幅Ｌ２とすることによって、図４（ｂ）に示すように、８面のパイル面を余裕を持って容易に折り曲げることができるのである。つまり、四つ折りにしたときに丸みをおびた嵩張った状態にならない。
【００１８】
このように、パイル無し縦部１３及びパイル無し横部１４の幅Ｌ２を、パイル１２の起毛長さＬ１の５．５〜７．５倍の範囲の長さにすることにより、パイル無し縦部１３及びパイル無し横部１４の幅Ｌ２をパイルの起毛長さに応じて最適に設けられる。
従って、パイル１２の起毛長さＬ１が長身な場合には、それに応じてパイル無し縦部１３及びパイル無し横部１４の幅Ｌ２の幅が、最適な広い幅に形成されるので、折り曲げが容易で四つ折りにしたときに嵩張り感が生じない。
また、パイル１２の起毛長さＬ１が短身な場合には、それに応じてパイル無し縦部１３及びパイル無し横部１４の幅が、最適な狭い幅に形成できるので、折り曲げが容易でスマートなデザインに形成される。
【００１９】
また、タオルハンカチ１１は、縦方向寸法が１９０〜２１０ｍｍの範囲であり、望ましくは２００ｍｍである。また、横方向寸法が２４０〜２６０ｍｍの範囲であり、望ましくは２５０ｍｍである。
あるいは、タオルハンカチ１１の縦横方向のサイズ比率が８：１０の比率である。
【００２０】
このようにタオルハンカチ１１の縦方向寸法及び横方向寸法、又は縦横方向のサイズ比率を設定することによって、タオルハンカチを四つ折りにした際に適度な形の長方形状に形成されるので、図５に示すように、ズボンのバックポケット１５のようなマチの無いポケットにも、長さ方向に沿って収納しやすい。
【００２１】
次に、タオルハンカチ１１の折り畳み手順について説明する。図５に示すように、パイル無し縦部１３（あるいはパイル無し横部１４）に沿って二つ折りにする。そして、パイル無し横部１４（あるいはパイル無し縦部１３）に沿って四つ折りにすると、タオルハンカチ１１が適度な形の長方形状に形成される。また、展開手順は、折り畳み手順の逆を行えばよい。
【００２２】
以上のように構成されるハンカチハンカチ１１は、パイル無し縦部１２及びパイル無し横部１３の幅Ｌ２を、パイル１２の起毛長さの５．５〜７．５倍の範囲の長さ（望ましくは６〜６．５倍の範囲の長さ）に形成したことによって、パイル無し縦部１３及びパイル無し横部１４の幅Ｌ２がパイル１２の起毛長さＬ１に応じて最適に設けられる。また、折り曲げが容易であり、四つ折りにしたときに嵩張り感が生じない。
【符号の説明】
【００２３】
１１  タオルハンカチ
１１ａ  タオルハンカチ本体
１２  パイル
１２ａ  基部
１２ｂ  頂部
１３  パイル無し縦部
１３ａ  延長部
１４  パイル無し横部
１５  バックポケット
１６  ヘム
【図１】
0003232163.tif 000003
【図２】
0003232163.tif 000004
【図３】
0003232163.tif 000005
【図４】
0003232163.tif 000006
【図５】
0003232163.tif 000007
【図６】
0003232163.tif 000008